(57)【要約】【課題】認証性を高めることが出来る電子機器及び認証方法を提供すること。【解決手段】操作部２０と生体情報を検出する検出部６と所定の生体情報を記憶する記憶部１０８と検出部６により検出された生体情報と記憶部１０８に記憶されている所定の生体情報との照合処理を行う照合処理部と照合処理部での照合処理の結果に応じ機能制限を制御する制御部１１０とを有し照合処理部は検出部６により生体情報が検出された場合に照合処理を行い制御部１１０は照合処理により検出された生体情報と所定の生体情報とが合致すると判断された場合に機能制限を解除し照合処理により検出された生体情報と所定の生体情報とが相違すると判断された場合には操作部２０での入力操作による機能制限の解除を可能とし検出部６にて生体情報が検出されない場合には操作部２０での入力操作による機能制限の解除を抑制する。【選択図】図４
2009129419.tif 000002
【特許請求の範囲】
【請求項１】
操作部と、
生体情報を検出する検出部と、
所定の生体情報を記憶する記憶部と、
前記検出部により検出された前記生体情報と前記記憶部に記憶されている前記所定の生体情報との照合処理を行う照合処理部と、
前記照合処理部での前記照合処理の結果に応じて機能制限を制御する制御部と、
を有する電子機器であって、
前記照合処理部は、前記検出部により前記生体情報が検出された場合に、前記照合処理を行い、
前記制御部は、
前記照合処理により前記検出された生体情報と前記所定の生体情報とが合致すると判断された場合に前記機能制限を解除し、
前記照合処理により前記検出された生体情報と前記所定の生体情報とが相違すると判断された場合に前記操作部での入力操作による前記機能制限の解除を可能とし、
前記検出部にて生体情報が検出されない場合には、前記操作部での入力操作による前記機能制限の解除を抑制する
ことを特徴とする電子機器。
【請求項２】
前記検出部は、検出処理の開始から所定時間が経過するまでの間に前記生体情報を認知した場合に前記生体情報の検出と判断する
ことを特徴とする請求項１に記載の電子機器。
【請求項３】
外部通信機器と通信可能な通信部を備え、
前記制御部は、検出された前記生体情報と前記所定の生体情報とが相違すると前記照合処理部によって判断されたとき、前記検出された生体情報を、前記通信部を介して前記外部通信機器へ送信する
ことを特徴とする請求項１または２に記載の電子機器。
【請求項４】
外部通信機器と通信可能な通信部と、
位置情報を取得する位置情報取得部と、
前記制御部は、検出された前記生体情報とを有し、前記所定の生体情報とが相違すると前記照合処理部によって判断されたとき、前記位置情報取得部によって取得された位置情報を、前記通信部を介して前記外部通信機器へ送信する
ことを特徴とする請求項３に記載の電子機器。
【請求項５】
生体情報を検出し、
前記検出された前記生体情報と予め記憶されている所定の生体情報との照合処理を行い、
前記照合処理の結果に応じて機能制限を制御する、
認証方法であって、
前記照合処理は、前記生体情報が検出された場合に実行され、
前記機能制限は、前記照合処理により前記検出された生体情報と前記所定の生体情報とが合致すると判断された場合に解除され、前記照合処理により前記検出された生体情報と前記所定の生体情報とが相違すると判断された場合には入力操作により解除可能とされ、生体情報が検出されない場合には、前記入力操作による前記解除を抑制される
ことを特徴とする認証方法。
【発明の詳細な説明】
【技術分野】
【０００１】
本発明は、生体認証機能を用いた電子機器及び認証方法に関する。
【背景技術】
【０００２】
近年市場に広く流布している携帯電話機に代表される電子機器は、各種様々な機能を有している。例えば、アドレス帳機能やメール送受信機能、更にはＲＦＩＤの技術が用いられた電子マネー機能等も搭載された携帯電話機が存在する。
【０００３】
そして、前述したような携帯電話機での認証の技術として、使用者の検出される指紋や撮影される顔の画像によって認証を行う生体認証機能が搭載された携帯電話機が考案されている。例えば、特許文献１に示された技術では、携帯電話機の使用される状態が変化したことを検出することにより、ユーザが所有者以外の第３者であることを自動検知することが可能となる。そして、その都度顔の撮影による生体認証（以下、顔認証と記載する。）によるロック解除をユーザへ要求することによって、この携帯電話機は、第３者による濫用を防ぐことが可能となる。
【０００４】
以下、図５を用いて、顔の写真撮影による生体認証（以下、顔認証と記載する。）の一例を示す。
【０００５】
＜ステップＳ５０１＞  
例えば、通話回数が極端に減ったり増えたりしたことを検出して、携帯電話機は、ユーザへ顔認証によるロック解除を要求する。同時に、携帯電話機に備え付けられたカメラを起動し、ユーザの顔認証を開始する。以下、カメラによって顔のデータを抽出して、携帯電話機のロックを解除する一連の処理を、「顔認証処理」と記載する。
【０００６】
＜ステップＳ５０２＞  
カメラによるユーザの顔の撮影が開始される。以下、カメラによってユーザの顔の特徴を検出し、顔として判断してデータを取得する処理のことを「顔検出処理」と記載する。一定時間内にこの顔検出処理により顔の検出が出来なかった場合は（ステップＳ５０２／Ｙｅｓ）、ステップＳ５０７の処理を行う。ステップＳ５０１から、一定時間経過していない場合には（ステップＳ５０２／Ｎｏ）、携帯電話機はステップＳ５０３の処理を行う。
【０００７】
＜ステップＳ５０３＞  
ステップＳ５０２において、携帯電話機によって顔検出処理が継続される。
【０００８】
＜ステップＳ５０４＞  
顔検出処理が失敗した場合（ステップＳ５０４／Ｎｏ）、再びステップＳ５０２の処理に戻る。顔検出処理が成功したら（ステップＳ５０４／Ｙｅｓ）、携帯電話機はステップＳ５０５の処理を開始する。
【０００９】
＜ステップＳ５０５＞  
顔検出処理によって得られた顔データを、記憶部に予め記憶されていた顔データと照合する処理が開始される。以下、この処理のことを「顔照合処理」と記載する。
【００１０】
＜ステップＳ５０６＞  
顔照合処理の結果、記憶部に記憶されていた顔データと顔検出処理で検出した顔データが合致した場合（ステップＳ５０６／Ｙｅｓ）、ステップＳ５０９に進み、記憶部に記憶されていた顔データと顔検出処理で検出した顔データが合致しない場合（ステップＳ５０６／Ｎｏ）、ステップＳ５０７に進む。
【００１１】
＜ステップＳ５０７＞  
顔検出処理が成功しなかった場合又は顔照合処理が成功しなかった場合、パスワード入力がユーザに求められて、パスワード入力による認証が開始される。
【００１２】
＜ステップＳ５０８＞  
ユーザが入力したパスワードを記憶部に記憶されている正規のパスワードと照合し、パスワードが合っていれば（ステップＳ５０８／Ｙｅｓ）、ステップＳ５０９に進む。そして、もしユーザが入力したパスワードが間違っていたら（ステップＳ５０８／Ｎｏ）、ロックを解除せずに、顔認証処理を終了する。
【００１３】
＜ステップＳ５０９＞  
ステップＳ５０６において“Ｙｅｓ”の処理が行われたとき又はステップＳ５０７において“Ｙｅｓ”の処理が行われたとき、ロックが解除されて、ユーザが携帯電話機を使用できるようにする。
【特許文献１】特開２００５−２４４５８９
【発明の開示】
【発明が解決しようとする課題】
【００１４】
以上のような認証処理では、顔認証処理が失敗した後にパスワードによる認証処理を行っている為に、パスワードを知った悪意ある第３者が、顔認証処理に失敗した場合でも、パスワード認証処理のみで他人の携帯電話機を使用するおそれがあった。
【００１５】
本発明は、認証性を高めることが出来る電子機器及び認証方法を提供することを目的とする。
【課題を解決するための手段】
【００１６】
本発明に係る電子機器は、操作部と、生体情報を検出する検出部と、所定の生体情報を記憶する記憶部と、前記検出部により検出された前記生体情報と前記記憶部に記憶されている前記所定の生体情報との照合処理を行う照合処理部と、前記照合処理部での前記照合処理の結果に応じて機能制限を制御する制御部と、を有する電子機器であって、前記照合処理部は、前記検出部により前記生体情報が検出された場合に、前記照合処理を行い、前記制御部は、前記照合処理により前記検出された生体情報と前記所定の生体情報とが合致すると判断された場合に前記機能制限を解除し、前記照合処理により前記検出された生体情報と前記所定の生体情報とが相違すると判断された場合に前記操作部での入力操作による前記機能制限の解除を可能とし、前記検出部にて生体情報が検出されない場合には、前記操作部での入力操作による前記機能制限の解除を抑制することを特徴とする。
【００１７】
更に好適には本発明に係る電子機器は、前記検出部は、検出処理の開始から所定時間が経過するまでの間に前記生体情報を認知した場合に前記生体情報の検出と判断することを特徴とする。
【００１８】
更に好適には本発明に係る電子機器は、外部通信機器と通信可能な通信部を備え、前記制御部は、検出された前記生体情報と前記所定の生体情報とが相違すると前記照合処理部によって判断されたとき、前記検出された生体情報を前記外部通信機器へ送信することを特徴とする。
【００１９】
更に好適には本発明に係る電子機器は、外部通信機器と通信可能な通信部と、位置情報を取得する位置情報取得部と、前記制御部は、検出された前記生体情報と前記所定の生体情報とが相違すると前記照合処理部によって判断されたとき、前記位置情報取得部によって取得された位置情報を前記外部通信機器へ送信することを特徴とする。
【００２０】
本発明の第２の観点に係る認証方法は、生体情報を検出し、前記検出された前記生体情報と予め記憶されている所定の生体情報との照合処理を行い、前記照合処理の結果に応じて機能制限を制御する、認証方法であって、前記照合処理は、前記生体情報が検出された場合に実行され、前記機能制限は、前記照合処理により前記検出された生体情報と前記所定の生体情報とが合致すると判断された場合に解除され、前記照合処理により前記検出された生体情報と前記所定の生体情報とが相違すると判断された場合には入力操作により解除可能とされ、生体情報が検出されない場合には、前記入力操作による前記解除を抑制されることを特徴とする。
【発明の効果】
【００２１】
本発明は、認証性を高めることが出来る電子機器及び認証方法を提供することが可能となる。
【発明を実施するための最良の形態】
【００２２】
以下、図面を参照して本発明を実施するための最良の形態を説明する。なお、以下、電子機器として２つ折りタイプの携帯電話機について説明するが、本発明はこれに限定されるものではなく、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても、電子機器であれば適用可能である。また、リボルバタイプ、ストレートタイプの携帯電話機においても、本発明は実施可能である。
【００２３】
以下、本発明の実施形態を図面に基づき説明する。
【００２４】
図１は、本実施形態における携帯電話機（電子機器）１の外観を示す斜視図であり、図２は、図１に示す携帯電話機１の側面図である。
【００２５】
これらの図に示すように、携帯電話機１は、第１筐体２と、第２筐体３とがヒンジ部４を介して回動可能に連結された、いわゆる折りたたみ式の形態を有しており、両筐体は、回動することで両図矢印Ａ方向へ開閉し、二つ折りにすることが可能となっている。
【００２６】
第１筐体２の内面２ａには、ユーザの操作を入力するための操作部２０が設けられている。操作部２０は、例えば複数の数字キーが配列されたテンキー部２０ａや、その他十字キー等のボタンを有する。  
第２筐体３の内面３ａの、長手方向のヒンジ部４とは反対側の端部（以下、上端部という）には、ユーザの顔を検出する検出部６が設けられている。検出部６については後に詳述する。
【００２７】
第２筐体３の内面３ａには例えばＴＦＴ（Ｔｈｉｎ  Ｆｉｌｍ  Ｔｒａｎｓｉｓｔｏｒ）等の液晶パネルを有するメイン表示部３０が設けられる。また両図においては図示しないが、第２筐体３の外面３ｂには、同じく液晶パネルを有するサブ表示部が設けられている。
【００２８】
検出部６は、たとえばデジタルカメラ等の撮像手段であって、外界の光情報を電子データへ変換する装置のことである。これは、具体的には受光部をＣＣＤ（ＣＣＤ：ｃｈａｒｇｅ  ｃｏｕｐｌｅｄ  ｄｅｖｉｃｅ）型またはＣＭＯＳ（Ｃｏｍｐｌｅｍｅｎｔａｒｙ  ＭＯＳ）型の光センサ素子で形成したものを使用することが好ましい。
【００２９】
また、そのほかに、携帯電話機１は、第２筐体３に配される検出部６の近傍に、通話時の受信した音声を出力するスピーカ１０５を備えている。また、第１筐体２のヒンジ部４とは反対側の端には、ユーザの発した音声を入力するためのマイク部１０６が備えられている。
【００３０】
図３は、携帯電話機１の主要な回路構成図を示した図である。  
操作部２０、メイン表示部３０、検出部６は前述したとおりである。これらの構成部品は、第１筐体２内に配されている制御部１１０によって制御されている。
【００３１】
例えば、ユーザによって文字入力が行われるとき、制御部１１０は、テンキー部２０ａから入力を受付け、該入力に応じた計算処理を行ってメイン表示部３０や不図示のサブディスプレイへ文字を表示させる。また、制御部１１０は、音声入力部１２を経由してマイク部１０６より音声信号を受け付ける。また、逆に、制御部１１０は、通信部１０２より受信した信号を変調して、音声処理部１０４を経由してスピーカ１０５へ出力させる。
【００３２】
また、制御部１１０は、内部に照合処理部１１１を備えている。照合処理部１１１は、検出部６によって検出（撮像画像から認識）された顔データ（生体情報）と、後述する記憶部１０８に記憶されている真の所有者の顔データとを照合する機能を有する。
【００３３】
また、携帯電話機１は、記憶部１０８を第１筐体２内に備えている。記憶部１０８は、例えば、名前、電話番号及びメールアドレス等が複数組記憶されたアドレス帳データ、制御部１１０で実行されるアプリケーションのプログラム及びデータ、携帯電話機１の真の所有者の顔データ（所定の生体情報）、等を記憶している。この顔データは、携帯電話機１がロックされていない（制御部１１０によって機能制限が解除されている）状態において、例えば検出部６によって所有者の顔を撮影することによって取得登録されたものが制御部１１０の制御によって記憶部１０８へ記憶される。
【００３４】
また、記憶部１０８は、ロック解除の鍵であるパスワードも保存している。このパスワードは、顔データと同様にロックがかかっていない状態において、ユーザが操作部２０を操作することにより入力された内容（文字列や数列など）に設定され、記憶部１０８へ記憶される。
【００３５】
制御部１１０は、電源起動やキー入力などの所定の機能の動作を制限する機能制限部１１２を有し、所定の入力操作により、機能制限がＯＮ状態（ロック状態）に設定されると、認証処理による認証が成功しない限り所定機能の動作が制限される。この機能制限がＯＮ状態に設定されているときに、制御部１１０が、所定の操作をユーザから受け付けると、このロック状態を解除するための認証処理を開始する。この所定の操作とは、例えばテンキー部２０ａに備えられている電源キーが長押しされるといった操作でもよいし、例えばフォルダ型携帯電話機においては、閉状態から開状態へ状態がユーザによって変更される操作であってもよい。
【００３６】
図４は、本発明に係る、携帯電話機１が認証処理を行う際の処理の流れを示したフローチャートである。
【００３７】
＜ステップＳ４０１＞  
制御部１１０は、検出部６にユーザの顔を検出させる処理を開始させる。この検出処理は、ユーザの顔が検出されるまで、又は所定の時間（一定時間内）が経過するまで行われ続ける。なお、この所定の時間は、ユーザが操作部２０を操作することにより設定できるようにされていてもよいし、工場出荷時に予め設定されていてもよい（ステップＳ４０２）。このステップＳ４０２では、検出部６による顔検出の処理が所定時間以上継続されたか否かを判定する。顔検出処理が所定時間以上継続していないと判定されると、ステップＳ４０３へ進む。もし、検出部６による検出の処理がタイムアウト（所定時間以上継続）してしまうと（ステップＳ４０２／Ｙｅｓ）、認証処理を終了させて、機能制限を継続させた状態とする。
【００３８】
＜ステップＳ４０３＞  
検出部６（カメラ処理部）によって、撮影された画像を取得し、取得した撮影画像のデータを制御部１１０内の照合処理部１１１へ送る。
【００３９】
＜ステップＳ４０４＞  
照合処理部１１１は、ステップＳ４０３において取得された撮影画像の電子データ（顔データ）が、ステップＳ４０５において行われる照合処理を実行可能なものか否かを、判断する。例えば、外界が暗いところでの撮影であった為に目、鼻、口等の形状が検出部６によって撮影された画像から認識できなかったり、撮影されたユーザの顔が検出部６に対して正面を向いていなかったために、輪郭の形状等正確に検出されなかった場合などには、撮影画像に顔が含まれている（顔の検出が成功した）とは判定されずに、照合処理部１１１による照合処理が実行不可能と判定される。このような場合は（ステップＳ４０４／Ｎｏ）、照合処理を行うことが出来ないために、制御部１１０は、ステップＳ４０２に戻って顔の検出処理を継続させる。  
そして、顔データの検出に成功した場合には（ステップＳ４０４／Ｙｅｓ）、制御部１１０は、ステップＳ４０５へと進む。
【００４０】
＜ステップＳ４０５＞  
検出部６によって撮影された画像から顔の検出が成功して顔データでの照合処理を行うことが可能である場合、照合処理部１１１は、この顔データの照合処理を実行する。このとき、照合処理部１１１は、記憶部１０８に記憶（登録）されている当該携帯電話機１の所有者の顔データと、検出部６での撮影によって検出された顔データを照合する。
【００４１】
＜ステップＳ４０６＞  
この照合処理では、照合処理部１１１が、記憶部１０８に記憶されている携帯電話機１の所有者の顔データと検出部６によって検出された顔データが合致するか否かを判断する。もし、記憶部１０８に記憶されている顔データと検出部６によって検出された顔データとが合致すると照合処理部１１１が判断したならば（ステップＳ４０６／Ｙｅｓ）、ステップＳ４１１に進む。
【００４２】
もし、記憶部１０８に記憶されている顔データと検出部６によって検出された顔データとが相違すると照合処理部１１１が判断したならば（ステップＳ４０６／Ｎｏ）、ステップＳ４０７に進む。つまり、携帯電話機１のユーザが、真の所有者でない可能性があると照合処理部１１１が判断したとき、照合処理部１１１はステップＳ４０７の処理を開始する。
【００４３】
＜ステップＳ４０７＞  
ステップＳ４０６における照合処理において、携帯電話機１の現在のユーザが真の所有者でない可能性があると判断すると、制御部１１０は検出部６によって撮影されて検出された顔データを記憶部１０８に保存する。
【００４４】
＜ステップＳ４０８＞  
ステップＳ４０７において、検出部６より検出した顔データを記憶部１０８へ保存した後、制御部１１０はパスワード入力をユーザへ求める。このとき、例えば制御部１１０は、メイン表示部３０に「パスワードを入力してください」といった表示を行わせ、ユーザによる操作部２０での入力操作が行われるのを待ち受ける。
【００４５】
＜ステップＳ４０９＞  
ステップＳ４０８においてパスワードの入力操作が行われた後、操作部２０からの入力操作に基づくパスワードが記憶部１０８に予め記憶（登録）されている正規のパスワード（文字列や数列など）と同じだった場合（ステップＳ４０９／Ｙｅｓ）、ステップＳ４１１にすすむ。また、操作部２０からの入力操作に基づくパスワードが記憶部１０８に記憶されている正規のパスワードと同じでなかった場合（ステップＳ４１０／Ｎｏ）、ステップＳ４１０に進む。
【００４６】
＜ステップＳ４１０＞  
顔検出は成功したが顔認証もパスワード認証も失敗した場合、制御部１１０は、現在携帯電話機１のロック（機能制限）を解除しようとしているものが真の所有者ではないと判断する。このとき、制御部１１０は、ステップＳ４０７にて記憶したユーザの顔データを、通信部１０２（送信部）を介して例えばインターネット（外部ネットワーク）上に存在する所定のサーバなどの外部通信機器へ、送信する。この所定のサーバは、例えば真の所有者がパーソナルコンピュータ等の携帯電話機１以外の通信装置からアクセス出来るようになっている。従って、真の所有者は、自身の携帯電話機１を不正に利用しようとした第３者の存在を認識することが出来るとともに、送信された画像に基づき第３者の顔を知ることが可能となり、その不正をはたらこうとしたユーザをその顔データを手がかりにして捕まえることが可能となる。
【００４７】
また、前述した所定のサーバは、例えば警備会社や警察の所有するサーバであってもよい。つまり、このようにネットワーク接続を行うことによって、不正に他人の携帯電話機１を利用しようとしたユーザの顔を、警備会社の警備員や警察官が瞬時に知ることが可能となる為に、前述した警備員や警察官は犯人を捕らえる行動を迅速に開始することが可能となる。なお、所定のサーバへの通知に限定されずに、真の所有者へ電話やメール等により直接通知する構成であってもよい。
【００４８】
また、携帯電話機１がＧＰＳ（Ｇｌｏｂａｌ  Ｐｏｓｉｔｉｏｎｉｎｇ  Ｓｙｓｔｅｍ）機能などにより自身の位置情報を取得可能な位置情報取得手段を有するものであった場合には、検出部６によって検出された顔データの通知とともに当該携帯電話機１の位置情報も前述したサーバなどの外部通信機器へ、制御部１１０は送信するようにしてもよい。このようにすることによって、真の所有者や警備員、または警察官は携帯電話機１と携帯電話機１を不正に利用しようとしている悪意あるユーザの位置情報をも瞬時に知ることができるために、前述した悪意あるユーザをより迅速に捕らえることが可能となる。
【００４９】
＜ステップＳ４１１＞  
ステップＳ４０６において照合処理が成功した場合、もしくはステップＳ４０９においてパスワード認証が成功した場合、使用者が正規のユーザと判断し、制御部１１０は携帯電話機１のロック（機能制限）を解除して、所定の機能を動作させることを可能とする。
【００５０】
以上、前述した実施形態によって、例えパスワードが漏洩しても、悪用されることの無い電子機器と認証方法を提供することが可能となる。
【００５１】
さらには、電子機器の真の所有者や警察官等へ、不正に利用しようとした悪意あるユーザの顔及び位置情報を迅速に知らせることが可能となる為に、前述した悪意あるユーザをより迅速に捕まえることが可能となる。
【００５２】
以上、上述した実施形態における携帯電話機１では、生体情報である顔データを検出する検出部６と、所定の生体情報（所定の顔データ）を記憶する記憶部１０８と、検出部６により検出された生体情報（顔データ）と記憶部１０８に記憶されている所定の生体情報との照合処理を行う照合処理部１１１と、照合処理部１１１での照合処理の結果に応じて機能制限を制御する制御部１１０と、を有し、照合処理部１１１は、検出部６により生体情報が検出された場合に、照合処理を行い（ステップS４０５）、制御部１１０は、照合処理により検出された生体情報と所定の生体情報とが合致すると判断された場合に機能制限を解除（ステップS４１１）し、照合処理により検出された生体情報と所定の生体情報とが相違すると判断された場合に操作部２０での入力操作による機能制限の解除を可能（ステップS４０８からステップS４１１）とし、検出部６にて生体情報が検出されない場合には、操作部６での入力操作による機能制限の解除を抑制する（ステップS４０２でのNoの判断）。
【００５３】
したがって、生体情報（顔データ）が検出されなかった場合には、認証処理が終了されて機能制限の解除が抑制されるために認証性を高めることが出来る。
【００５４】
また、所定のサーバなどの外部通信機器と通信可能な通信部１０２を備え、制御部１１０は、検出された生体情報と所定の生体情報とが相違すると照合処理部によって判断されたとき、検出された生体情報を外部通信機器へ送信する。
【００５５】
よって、例え悪意ある第３者に携帯電話機１のパスワードを知られたとしても、その悪意ある第３者の顔データを外部通信装置へ送信することが可能となる。したがって、電子機器の真の所有者や警察官等へ、不正に利用しようとした悪意あるユーザの顔を迅速に知らせることが可能となる為に、前述した悪意あるユーザをより迅速に捕まえることが可能となる。
【００５６】
更に、外部通信機器と通信可能な通信部１０２と、位置情報を取得する位置情報取得部と、前記制御部は、検出された生体情報と前記所定の生体情報とが相違すると照合処理部によって判断されたとき、位置情報取得部によって取得された位置情報を外部通信機器へ送信する。
【００５７】
よって、例え悪意ある第３者に携帯電話機１のパスワードを知られたとしても、その悪意ある第３者の位置情報を外部通信装置へ送信することが可能となる。したがって、電子機器の真の所有者や警察官等へ、不正に利用しようとした悪意あるユーザの位置情報を迅速に知らせることが可能となる為に、前述した悪意あるユーザをより迅速に捕まえることが可能となる。
【００５８】
なお、真の所有者であるならば、生体認証のみで使用することが可能となる為に、真の所有者に対する利便性を妨げることなく、他人の不正利用に対するセキュリティを向上させることが可能となる。
【００５９】
また、本実施形態においては、生体情報を用いた認証方法として顔認証を例にとって説明したが、これに限定されない。例えば本発明は、指紋、目の虹彩、網膜、耳の形又は手の静脈などの他の生体認証を用いる電子機器及び認証方法においても適用可能である。その他、検出部がマイクの場合は、声紋による認証にも適用可能である。
【００６０】
また、パスワード入力による機能制限解除について説明したが、これに限定されるものではなく、その他の入力操作に基づき機能操作を解除するように構成してもよい。
【図面の簡単な説明】
【００６１】
【図１】本実施形態における携帯電話機１が開かれた状態の斜視図である。
【図２】本実施形態における携帯電話機１が開かれた状態の側面図である。
【図３】携帯電話機１の主要構成部品のブロック図である。
【図４】本実施形態における携帯電話機１の顔認証処理の流れを示すフローチャートである。
【図５】従来技術における顔認証処理の流れを示すフローチャートである。
【符号の説明】
【００６２】
１・・・携帯電話機
２・・・第１筐体
２ａ・・・内面
３・・・第２筐体
３ａ・・・内面
３ｂ・・・外面
４・・・ヒンジ部
６・・・検出部
２０・・・操作部
２０ａ・・・テンキー部
３０・・・メイン表示部
１０４・・・音声処理部
１０５・・・スピーカ
１０６・・・マイク部
１０８・・・記憶部
１１０・・・制御部
１１１・・・照合処理部
１１２・・・機能制限部
【図１】
2009129419.tif 000003
【図２】
2009129419.tif 000004
【図３】
2009129419.tif 000005
【図４】
2009129419.tif 000006
【図５】
2009129419.tif 000007